(57)【特許請求の範囲】
【請求項１】
少なくとも一部が光を透過する透過部である指標部を表面側に有する指標部材と、
前記指標部材の裏面側に配設され、前記指標部材の前記表面側に延出する指針軸を有する回動内機と、
前記指針軸の先端に支持され、前記指標部材の前記表面に沿い回動する指針と、を備えた指針計器において、
前記指標部材の裏面側に配設され、光を透過する材料から成り、前記指標部材とは反対側となる裏面側のうちで前記透過部と視認方向において相対する位置に断面が台形形状となる凹部を有する導光体と、
前記導光体に光を入射する光源と、
前記導光体の前記裏面側にて前記凹部の開口部を覆うリフレクタと、を備え、
前記凹部における二つの側面の間の間隔は、前記凹部における底面から前記開口部に向かうに従って拡がり、
前記二つの側面及び前記底面のうちで、前記二つの側面には、シボが設けられ、
前記導光体は、前記二つの側面によって、前記光源から入射された光源光を前記指標部材の前記透過部を透過させ視認者が視認可能に反射する光源光反射部を形成し、
前記底面及び前記リフレクタは、前記指標部材の前記透過部を透過して前記導光体に入射する外部光を前記指標部材の前記透過部を透過させ視認者が視認可能に反射する外部光反射部を形成することを特徴とする指針計器。
【請求項２】
前記光源から放出された光源光の少なくとも一部は、前記導光体の前記凹部の長手方向に対し略平行に入射し、
前記凹部の前記底面は、前記凹部の長手方向に対し略平行に入射する光源光の少なくとも一部を、前記指標部材の前記透過部を透過させ視認者が視認可能に反射する角度で形成されていることを特徴とする請求項１に記載の指針計器。
【請求項３】
前記リフレクタは、前記導光体の前記裏面側のほぼ全体を覆う形状であることを特徴とする請求項１又は２に記載の指針計器。
【請求項４】
前記リフレクタと前記導光体の前記凹部との間に、特定の周波数領域の光を反射するシートが挾持されることを特徴とする請求項１〜３のいずれか一項に記載の指針計器。
【請求項５】
前記光源の放出する光源光の周波数領域と、反射された外部光の周波数領域とがほぼ同一であることを特徴とする請求項１〜４のいずれか一項に記載の指針計器。
【請求項６】
前記光源の放出する光源光の周波数領域と、反射された外部光の周波数領域とが異なることを特徴とする請求項１〜４のいずれか一項に記載の指針計器。
【請求項７】
前記指標部材の前記透過部は、前記指標部材の目盛の少なくとも一部を形成し、前記透過部は前記指標部材の前記表面側に前記指針軸を中心として放射状に複数設けられていることを特徴とする請求項１〜６のいずれか一項に記載の指針計器。
【請求項８】
前記指標部材の前記透過部は前記指標部材に設けられた貫通部であり、
前記導光体は前記指標部材側の表面側に凸部を有し、
前記凸部の先端には平面部が形成されており、
前記凸部は前記指標部材の前記貫通部に嵌挿され、前記指標部材の前記表面側へ突出することを特徴とする請求項１〜７のいずれか一項に記載の指針計器。
【発明の詳細な説明】
【技術分野】
【０００１】
本発明は、指針計器に関するものである。
【背景技術】
【０００２】
近年、指針計器において斬新な見栄えを獲得する為、視認性を備えた様々なデザインが試みられている。例えば、特許文献１に開示されている指針計器では、その導光体の視認者と反対側となる面にくさび形状の凹部を設け、導光体に入射する発光ダイオードの光を凹部により視認者側へ反射させ、表示に立体感を持たせることにより、視認性を備えた斬新な見栄えを有するデザインとしている。
【特許文献１】特開２００３−３０２２６２号公報
【発明の開示】
【発明が解決しようとする課題】
【０００３】
しかしながら、特許文献１の記載の技術によれば、凹部が発光ダイオードの光を反射させているだけであり、外部光の光量が多い環境下では、表示はその周辺部との十分な明度差が得られず、指針計器の視認性が悪化する。その対策として、白色光である外部光と色相差を持つ青色等の発光ダイオードを使用することで、外部光の光量が多い環境下での視認性を確保する方法が考えられるが、発光色が制限されることとなり、デザインの自由度に制約を受ける。
【０００４】
本発明は上記問題点に鑑みてなされたものであり、その目的は、外部光の光量に影響されない優れた視認性と、デザインの自由度を兼ね備える指針計器を提供することである。
【課題を解決するための手段】
【０００５】
上記目的を達成するために、請求項１に記載の発明は、少なくとも一部が光を透過する透過部である指標部を表面側に有する指標部材と、指標部材の裏面側に配設され、指標部材の表面側に延出する指針軸を有する回動内機と、指針軸の先端に支持され、指標部材の表面に沿い回動する指針と、を備えた指針計器において、指標部材の裏面側に配設され、光を透過する材料から成り、指標部材とは反対側となる裏面側のうちで透過部と視認方向において相対する位置に断面が台形形状となる凹部を有する導光体と、導光体に光を入射する光源と、導光体の裏面側にて凹部の開口部を覆うリフレクタと、を備え、凹部における二つの側面の間の間隔は、この凹部における底面から開口部に向かうに従って拡がり、二つの側面及び底面のうちで、二つの側面には、シボが設けられ、導光体は、二つの側面によって、光源から入射された光源光を指標部材の透過部を透過させ視認者が視認可能に反射する光源光反射部を形成し、底面及びリフレクタは、指標部材の透過部を透過して導光体に入射する外部光を指標部材の透過部を透過させ視認者が視認可能に反射する外部光反射部を形成することを特徴とする。
【０００６】
これによれば、外部光の光量が少ない環境下においては、光源からの入射させる光源光は導光体に設けられた光源反射部で反射され、指標部材に設けられた透過部を透過し、視認者に届けられる。外部光の光量が多い環境下においては、指標部材の透過部から導光体に入射する外部光が外部光反射部で反射され、再び透過部を透過し、視認者に届けられる。視認者は外部光の光量に関わらず指標部材の透過部とその周辺部との明度差を認識することができる為、視認性の高い指針計器を得ることができる。また、明度差のみで視認性を確保することができる為、光源色に制約を生じることが無く、デザインの自由度を兼ね備える指針計器を得ることができる。
【０００８】
また、外部光の光量が少ない環境下においては、光源からの入射させる光源光は導光体に設けられた凹部の二つの側面により視認者の視認方向に反射され、指標部材に設けられた透過部を透過し、視認者に届けられる。外部光の光量が多い環境下においては、指標部材の透過部から導光体に入射する外部光は凹部の底面を透過し、リフレクタにより反射され、再び凹部の底面と指標部材に設けられた透過部を透過し、視認者に届けられる。視認者は外部光の光量に係らず指標部材の透過部とその周辺部との明度差を認識することができる為、視認性に優れた指針計器を得ることが可能な構成となる。
【０００９】
加えて、この構成によれば、外部光反射部および光源光反射部である凹部とリフレクタを導光体の裏面側に集約して形成することができ、外部光反射部および光源光反射部が占有する空間を抑制することが可能となる。その為、指針計器の形状に制約が生じることが無く、デザインの自由度の高い指針計器を得ることができる。
さらに、二つの側面及び底面のうちで二つの側面に設けられたシボが光源光を乱反射させることにより、凹部の視認方向に位置する導光体の表面から指標部材の透過部を透過して放出される光量を増加させることができる。視認者は指標部材の透過部とその周辺部との明度差をより鮮明に認識することが可能となる為、視認性により優れた指針計器を得ることができる。
【００１０】
請求項２に記載の発明では、光源から放出された光源光の少なくとも一部は、導光体の凹部の長手方向に対し略平行に入射し、凹部の底面は、凹部の長手方向に対し略平行に入射する光源光の少なくとも一部を、指標部材の透過部を透過させ視認者が視認可能に反射する角度で形成されていることを特徴とする。
【００１１】
これによれば、凹部の側面で反射することができない凹部の長手方向に対し略平行に入射する光源光を、凹部の底面で視認者側に反射させることにより、視認者に届けられる光量が増加する。視認者は、透過部とその周辺部との明度差をより鮮明に認識することが可能となり、視認性により優れた指針計器を得ることができる。
【００１３】
請求項３に記載の発明では、リフレクタは、導光体の裏面側のほぼ全体を覆う形状であることを特徴とする。これによれば、リフレクタが導光体の裏面側のほぼ全体を覆うことによって、導光体から漏洩する光源光の光量が低減され、視認者に届けられる光量を増加させることができる。視認者は指標部材の透過部とその周辺部との明度差をより鮮明に認識することが可能となる為、視認性により優れた指針計器を得ることができる。
【００１４】
請求項４に記載の発明では、リフレクタと導光体の凹部の開口部との間に、特定の周波数領域の光を反射するシートが挾持されることを特徴とする。これによれば、外部光の光量が多い環境下において視認者が認識する透過部の発光色を任意の色相に設定することが可能となる為、デザインの自由度を兼ね備える指針計器を得ることができる。
【００１５】
請求項５に記載の発明では、光源の放出する光源光の周波数領域と、反射された外部光の周波数領域とがほぼ同一であることを特徴とする。これによれば、視認者が認識する透過部は、外部光の光量に係らず一定の色相のまま、周辺部との明度差を常に確保することが可能となる為、視認性により優れた指針計器を得ることができる。
【００１６】
請求項６に記載の発明では、光源の放出する光源光の周波数領域と、反射された外部光の周波数領域とが異なることを特徴とする。これによれば、視認者が認識する透過部は、外部光の光量に係らず周辺部との一定の明度差を確保したまま、外部光の光量変化に従って任意の色相に変化させることが可能となる為、デザインの自由度が高い指針計器を得ることができる。
【００１７】
請求項７に記載の発明では、指標部材の透過部は、指標部材の目盛の少なくとも一部を形成し、透過部は指標部材の表面側に指針軸を中心として放射状に複数設けられていることを特徴とする。これによれば、目盛は常に指標部材に対して明度差を維持することが可能となる為、視認性により優れた指針計器を得ることができる。
【００１８】
請求項８に記載の発明では、指標部材の透過部は指標部材に設けられた貫通部であり、導光体は指標部材側の表面側に凸部を有し、凸部の先端には平面部が形成されており、凸部は指標部材の貫通部に嵌挿され、指標部材の表面側へ突出することを特徴とする。これによれば、光源光反射部で反射された光源光又は外部光反射部により反射された外部光は、凸部先端面から視認者側へ放出される。指標部材と反射光が放出される位置が視認方向に対して奥行きを持った構造となる為、指標部材と凸部先端の平面部との明度差がより強調され、視認性をより向上させることができる。加えて、指標部材と凸部先端の平面部とを立体的に配置することが可能となる為、デザインの自由度がより高い指針計器を得ることができる。
【発明を実施するための最良の形態】
【００１９】
以下、本発明の指針計器を車両用コンビネーションメータに適用した場合を例に図面に基づいて説明する。
【００２０】
＜第１実施形態＞
図１は、本発明の第１実施形態による指針計器であるコンビネーションメータ１００の正面図であり、図２は、図１のＩＩ−ＩＩ線断面図である。
【００２１】
コンビネーションメータ１００は、車両の運転席前方に視認者である運転者から視認可能な位置に配置され、車両の走行速度を指標するスピードメータ１００ａと、図示しない他の計器や各種インジケータおよび各種警告灯等をその構成に有している。
【００２２】
図１に示すように、スピードメータ１００ａは運転者に車両の速度を視認させるための指標部材２を備え、この指標部材２は、文字盤２０とトリムリング２５により構成されている。図２に示すように、文字盤２０は、中心部に開口部２２を有する円盤状であって、内周側に向かうに従い、運転者と反対側となる裏面２０ｂ側（図２の右側）へ傾斜する形状である。文字盤２０は、例えば透明なポリカーボネート樹脂あるいはアクリル樹脂等の光の透過性を有する薄板にて形成されている。図１に示すように、文字盤２０の表面２０ａ側には、指標部２１を構成する数字部２１ｂと文字部２１ｃを備え、この数字部２１ｂおよび文字部２１ｃは、数字部２１ｂおよび文字部２１ｃ以外の文字盤２０の表面２０ａ又は裏面２０ｂへ、印刷あるいはホットスタンプを施し、光の透過性を消失させることによって形成されている。
【００２３】
トリムリング２５は、円筒形状であって運転者側（図２の左側）となる端部は内周方向に折り曲げられ、固定部２８を形成している。トリムリング２５の外面２５ａ側には、例えばメッキ加工による加飾が施されており、文字盤２０の外周縁部に嵌め込まれることによってメーターの見栄えを向上させている。
【００２４】
図２に示すように、文字盤２０の裏面２０ｂ側には導光体７が文字盤２０と同軸に配設されている。図３は、導光体７の斜視図である。図３に示すように、導光体７は、運転者側（図２の左側）に向かうに従い、外周方向に展開する円筒形状であって、例えば透明なアクリル樹脂等の光の透過性を有する材料から形成されている。導光体７は、その下側（図３の左下）の一部が切欠かれており、その二つの断面より、後述する光源光８１ａを導光体７に入射する為の入射部７３を備えている。導光体７の表面７０ａ側、外周縁部７６には、先端に平面部７２ａを有する、特定の長さの大小２種類の凸部７２が、放射状且つ等間隔に交互に形成されている。文字盤２０の外周と、トリムリング２５の固定部２８の内周には、それぞれ切欠きが設けられており、文字盤２０の外周縁部にトリムリング２５が嵌め込まれることで、指標部材２の貫通部２１ａを形成する。貫通部２１ａは、透過部であって、指標部材２の指標部２１の一部である。指標部材２を構成する文字盤２０の裏面２０ｂ側に導光体７が配設された状態で、導光体７の凸部７２は、指標部材２の貫通部２１ａから文字盤２０の表面２０ａ側へ突出し、図１に示すように、スピードメータ１００ａの目盛７２となる。
【００２５】
図２に示すように、導光体７の裏面７０ｂ側（図２の右側）には、導光体７と同様に外周方向に展開する円筒形状であって、導光体７の裏面７０ｂのほぼ全体を覆う形状のリフレクタ６が配設されている。リフレクタ６は、例えば、ほぼ白色であって、光を透過させない樹脂により形成されている。
【００２６】
図２に示すように、リフレクタ６の導光体７と反対側となる裏面６０ｂ側（図２の右側）には、コンビネーションメータ１００の電気回路５を形成するプリント基板５１が配置されている。プリント基板５１の裏面５１ｂ側には、指針軸３１を有するムーブメント３と、コントローラ５２が実装されている。尚、ムーブメント３は、請求項１に記載の回動内機に相当する。プリント基板５１は、文字盤２０および導光体７と同軸であって、ムーブメント３の指針軸３１が貫通する開孔部５１ｃを有している。ムーブメント３は、その指針軸３１が文字盤２０および導光体７と同軸となるようプリント基板５１へ実装されており、指針軸３１はプリント基板５１の開孔部５１ｃと文字盤２０の開口部２２を貫通し、文字盤２０の表面２０ａ側へ延出している。
【００２７】
図２に示すように、指針４は、文字盤２０に形成された数字部２１ｂと目盛７２を指標するポインタ４１と、ムーブメント３の指針軸３１に固定される固定部４２によって構成されている。指針４の固定部４２は、文字盤２０の開口部２２から表面２０ａ側に延出するムーブメント３の指針軸３１の先端に固定されている。ポインタ４１は、例えば透明なアクリル樹脂等の光の透過性を有する材料から形成されており、文字盤２０の表面２０ａの形状に倣い、屈曲した形状を有している。指針４は、ムーブメント３によって指針軸３１と一体的に回動される。
【００２８】
図２に示すように、指針４とプリント基板５１との間には、ほぼ円筒形状を有する、指針導光体９が、指針軸３１と同軸に配設されている。指針導光体９は、例えば透明なアクリル樹脂等の光の透過性を有する材料からなり、プリント基板５１側の端部には光を入射させる入射部９０ａが、指針４側の端部には光を放出する為の放出部９０ｂが、それぞれ形成されている。
【００２９】
図２に示すように、プリント基板５１の表面５１ａ側には、光源である複数の発光ダイオードが配設されている。発光ダイオードは、導光体７の端面７４に光源光８２ａを入射させる発光ダイオード８２と、指針のポインタ４１を発光させる発光ダイオード８３と、図３に示す、導光体７の入射部７３の端面７３ａへ光源光８３ａを入射させる発光ダイオード８３に分類される。導光体７に光源光８１ａ、８２ａを入射する発光ダイオード８１、８２は、白色光を放出するものを、ポインタ４１を発光させる発光ダイオード８３は赤色光を放出するものを、それぞれ使用する。
【００３０】
コントローラ５２は、これらプリント基板５１に実装されたムーブメント３の駆動制御および各発光ダイオード８１、８２、８３の点灯・消灯制御を司る。
【００３１】
図２に示すように、上述したコンビネーションメータ１００の構成要素は、リヤケース１０ａとフロントケース１０ｂを構成に有するケーシング部材１０の内部へ収容される。また、フロントケース１０ｂの運転者側（図２の左側）には、透明なアクリル樹脂またはガラス等の薄板により形成された、透過パネル１１が嵌め込まれている。
【００３２】
次に、本発明の第１実施形態のコンビネーションメータ１００の特徴的構造と、その視認性への効果について説明する。
【００３３】
図４は、図３のＩＶ−ＩＶ線断面図であり、図５は、図３のＶ−Ｖ線断面図である。
【００３４】
図４に示すように、導光体７裏面７０ｂ側の、目盛７２と視認方向において相対する位置には、断面が台形である凹部７１が形成されている。導光体７の二つの入射部７３の端面７３ａに近接するよう配設された発光ダイオード８１から放出される光源光８１ａは、入射部７３の端面７３ａに入射し、入射部７３に形成される反射面７３ｂにより反射され、図３に示すように導光体７の外周縁部７６を周方向に進行する。図４に示すように、発光ダイオード８１から放出され、導光体７の外周縁部７６を進行する光源光８１ａの一部は、導光体７の裏面７０ｂに設けられた凹部７１の側面７１ａに入射し、目盛７２側へ反射される。ここで、凹部７１の側面７１ａにシボが設けられており、表面に微小な凹凸を有することで、側面７１ａに入射する光源光８１ａを乱反射し、運転者側へ反射可能な光源光８１ａの光量を増加させている。詳記すると、シボの無い状態においては、側面７１ａに対して特定の入射角を有する光源光８１ａのみが目盛７２側へ反射可能なだけであったが、シボを設けることにより、側面７１ａを透過してしまうような垂直に近い角度で側面７１ａへ入射する光源光８１ａや、側面７１ａに対して平行に近い角度で入射する光源光８１ａの一部も目盛７２側へ反射可能となるため、目盛７２から放出される光源光８１ａの光量が増加する。これによって、目盛７２は、高い明度を得ることになり、視認性に優れたコンビネーションメータ１００を提供することが可能となる。
【００３５】
外部光８８ａの光量が少ない環境下においては、光源光８１ａの反射光によって、目盛７２は周辺部との十分な明度差が確保可能であったが、外部光８８ａの光量が多い環境下においては、光源光８１ａの反射光のみでは、目盛７２と周辺部との明度差が小さくなり、運転者は良好な視認性を得ることが困難となる。明度差により運転者の視認性を得ることができないことから、発光ダイオード８１の発光色を、白色光である外部光８８ａと明確に異なる色相、例えば青色や赤色等とすることにより、色相差で運転者の視認性を得ることは可能であった。しかし、この場合では、発光ダイオード８１の発光色として使用できる発光色が制限され、コンビネーションメータ１００のデザインに制約が生じる。本発明の第１実施形態のコンビネーションメータ１００では、外部光８８ａの光量が多い環境下において、導光体７内に入射する外部光８８ａを運転者側へ反射させることにより、外部光８８ａの光量増加に伴って、目盛７２より放出される光量も増加する構成とする。
【００３６】
図４に示すように、目盛７２先端の平面部７２ａより導光体に入射する外部光８８ａは、導光体７内を直進し、導光体７の裏面７０ｂに設けられた凹部７１の底面７１ｂを透過し、リフレクタ６で反射される。反射された外部光８８ａの反射光８８ｂは、再度凹部７１の底面７１ｂと目盛７２先端の平面部７２ａを透過し、運転者側へ放出される。その為、外部光の光量が増加した場合においても、目盛７２から放出される反射光８８ｂの光量も、外部光８８ａの光量に伴って増加し、常に周辺部との明度差を維持できる。これにより、外部光８８ａの光量に係らず、高い視認性を有するコンビネーションメータ１００を提供することが可能となる。
【００３７】
また、目盛７２が、外部光８８ａの光量に係らず周辺部との明度差を維持可能なことから、発光ダイオード８１の発光色が制限されることがなく、コンビネーションメータ１００は高いデザインの自由度を獲得することができる。
【００３８】
また、リフレクタ６が白色であることから、外部光８８ａの反射光８８ｂと光源光８１ａは同じ白色光となる。その為、目盛７２は、外部光８８ａの光量が変化した場合においても、白色で発光しているよう運転者に視認される。これにより、外部光８８ａの光量に係らず、運転者の視認状態が変わらない、より視認性に優れたコンビネーションメータ１００を提供することが可能となる。
【００３９】
さらに、光源光８１ａを反射する為に必要な反射部の機能と、外部光８８ａを反射させる為に必要な反射部の機能とが、導光体７の裏面７０ｂに設けられた凹部７１とリフレクタ６のみにより獲得されることで、導光体７の形状に制約を生じることが無い。加えて、これらの部品が占有するスペースもごく僅かである為、デザインの自由度を兼ね備えるコンビネーションメータ１００を提供することが可能となる。
【００４０】
図３に示すように、導光体７の端面７４に近接するよう配設された発光ダイオード８２から放出される光源光８２ａは、導光体７の端面７４へ入射し、導光体７の形状に沿って外周縁部７６に向かって放射状に進行する。図５に示すように、凹部７１の底面７１ｂは、この放射状に進行する光源光８２ａの進行方向に対して角度を有するよう形成されている。その為、凹部７１の底面７１ｂは、発光ダイオード８２から放出される光源光８２ａを目盛７２側へ反射させることが可能となり、コンビネーションメータ１００の目盛７２が放出する光量をさらに増加させることで、目盛７２は周辺部とのより鮮明な明度差を獲得している。これにより、より視認性に優れたコンビネーションメータ１００を提供することが可能となる。
【００４１】
図５に示すように、導光体７の裏面７０ｂには、リフレクタ６が配設されている。リフレクタ６は、裏面７０ｂを透過して外部に漏洩する光源光８２ａを、再び導光体７へ反射させることで、文字盤２０の数字部２１ｂや文字部２１ｃへ到達する光量が減少することを抑制している。また、図１に示す文字盤２０の数字部２１ｂおよび文字部２１ｃと接する位置となる、導光体７の表面７０ａには、シボ７５が設けられ、微小な凹凸が形成されている。図５に示すように、導光体７内を放射状に進行する光源光８２ａのうち、このシボ７５が設けられた箇所に入射する光源光８２ａは、シボ７５の微小な凹凸により、運転者側へと屈折され、導光体７より放出される。これらによって、文字盤２０の数字部２１ｂおよび文字部２１ｃの透過照明はより鮮明なものとなり、より視認性の高いコンビネーションメータ１００を提供することが可能となる。
【００４２】
図２に示すように、指針４のポインタ４１を発光させる発光ダイオード８３から放出された光源光８３ａは、指針導光体９の入射部９０ａおよび放出部９０ｂを介して、確実にポインタ４１へ導かれる。ポインタ４１は、赤色である発光ダイオード８３から指針導光体９を介して入射した光源光８３ａにより、全体が赤色に均一に発光する。コンビネーションメータ１００は、赤色に発光するポインタ４１と、白色に発光する数字部２１ｂおよび目盛７２との発光色の色相差によって、より高い視認性を獲得することが可能となる。加えて、数字部２１ｂ、目盛７２、ポインタ４１が運転者の視認方向に対して立体的な配置となることにより、それぞれの発光がより強調されることになる。これにより、視認性の高いコンビネーションメータ１００を提供することが可能となる。
【００４３】
次に、このように構成した本発明の第１実施形態のコンビネーションメータ１００における電気回路５の構成とその特徴について説明する。図６は、本発明の第１実施形態におけるコンビネーションメータ１００の電気回路５の構成図である。図６に示すように、コントローラ５２には、バッテリ５３から電力が常時供給されている。また、コントローラ５２は、イグニッションスイッチ５４が、その作動状態を検出可能に接続されている。コントローラ５２には、各発光ダイオード８１、８２、８３が接続され、イグニッションスイッチ５４の検出結果に基づいて、各発光ダイオード８１、８２、８３の点灯制御を行っている。コントローラ５２には、ムーブメント３と車両の走行速度を検出するための車速センサ５５が接続され、コントローラ５２は、車速センサ５５からの入力信号に基づいて、ムーブメント３の回動を制御する。
【００４４】
運転者によりイグニッションスイッチ５４がＯＮされ、バッテリ５３の電圧がコントローラ５２に印加されて、イグニッションスイッチ５４がＯＮされたことをコントローラ５２が検知すると、コントローラ５２が各発光ダイオード８１、８２、８３への点灯制御を行い、通電を開始する。各発光ダイオード８１、８２、８３へ所定電圧が印加されることによって、図１に示す、指標部材２の数字部２１ｂと文字部２１ｃおよび目盛７２、指針４のポインタ４１が発光する。イグニッションスイッチ５４がＯＮされた状態では、常に各発光ダイオード８１、８２、８３に電圧が印加されるよう制御されていることから、運転者が常に良好な視認性を得ることができるコンビネーションメータ１００を提供することが可能となる。
【００４５】
運転者によりイグニッションスイッチ５４がＯＦＦされ、イグニッションスイッチ５４がＯＦＦされたことをコントローラ５２が検知すると、コントローラ５２が各発光ダイオード８１、８２、８３への消灯制御を行い、通電を停止する。各発光ダイオード８１、８２、８３へ印加電圧が０となることで、図１に示す、指標部材２の数字部２１ｂと文字部２１ｃおよび目盛７２、指針４のポインタ４１が消灯される。
【００４６】
（第１実施形態の変形例）
以下に、第１実施形態の変形例によるコンビネーションメータ１００について説明する。第１実施形態の変形例によるコンビネーションメータ１００は、上述した第１実施形態によるコンビネーションメータ１００に対して、発光ダイオード８１、８２の発光色を、白色光から有彩色系の発光色、例えば、青色に変更している。尚、発光ダイオード８１、８２の発光色は有彩色であれば、赤色又は緑色等でも良い。
【００４７】
外部光８８ａの光量が少ない環境下においは、主に発光ダイオード８１、８２より放出され、導光体７の凹部７１で反射された青色の光源光８１ａおよび８２ａが、目盛７２より運転者側へ放出され、視認される。対して、外部光８８ａの光量が多い環境下においては、主に白色である外部光８８ａの反射光８８ｂが、目盛７２より運転者側へ放出され、視認される。目盛７２は、運転者に、外部光８８ａの光量が少ない環境下においては青色で視認され、外部光８８ａの光量が増加するに伴って、白色に変化するよう視認させることが可能となる。これによって、目盛７２の発光色の色相を、外部光の光量に従って連続的に変化させることができる、デザインの自由度の高いコンビネーションメータ１００を提供することが可能となる。
【００４８】
＜第２実施形態＞
図７は、本発明の第２実施形態によるコンビネーションメータ１００の導光体７およびその周辺部品の、図４と同一箇所における線断面図である。第２実施形態によるコンビネーションメータ１００は、上述した第１実施形態対して、凹部７１が形成される箇所の導光体７の裏面７０ｂと、リフレクタ６との間に、シートが挾持されている。
【００４９】
以下に、第２実施形態によるコンビネーションメータ１００における構成と作用について説明する。
【００５０】
図７に示すように、導光体７の裏面７０ｂに設けられた凹部７１と、リフレクタ６との間には、シート６１が挟持されている。シート６１は、任意の有彩色であり、特定の周波数域の光のみを反射させる特性を有している。導光体７の目盛７２先端の平面部７２ａより入射する外部光８８ａはシート６１の表面で反射され、反射光８８ｂとなる。これにより、反射光８８ｂは任意の有彩色光となる。
【００５１】
発光ダイオード８１、８２の発光色を第１実施形態と同様の白色とし、例えば、シート６１を青色とした場合、目盛７２は、外部光８８ａの光量が少ない環境下において、発光ダイオード８１、８２の発光色である白色で発光し、外部光８８ａの光量が増加するに伴って、青色で発光するよう連続的に変化させるが可能となる。これによって、目盛７２の発光色の色相を、外部光の光量に従って連続的に変化させることができる、デザインの自由度の高いコンビネーションメータ１００を提供することが可能となる。尚、シート６１の色は有彩色であれば、赤色又は緑色等でも良い。
【００５２】
発光ダイオード８１、８２の発光色と、シート６１の色を同一色相、例えば、青色とした場合、目盛７２は、外部光８８ａの光量が変化した場合においても、常に青色で発光しているよう運転者に視認される。特にこの場合、目盛７２から放出される、青色の光源光８１ａおよび８２ａと反射光８８ｂが、外部光８８ａとの色相差と、周辺部との明度差を併せ持つことにから、外部光８８ａの多い環境下における運転者の視認性が、非常に優れたコンビネーションメータ１００を提供することが可能となる。尚、発光ダイオード８１、８２の発光色およびシート６１の色は、同一色相の有彩色であれば、赤色又は緑色等でも良い。
【００５３】
発光ダイオード８１、８２の発光色を有彩色系の発光色、例えば、赤色に変更し、シート６１の色を前記の発光ダイオードとは異なる色相、例えば青色とした場合、目盛７２は、外部光８８ａの光量が少ない環境下において、発光ダイオード８１、８２の発光色である赤色で発光し、外部光８８ａの光量が増加するに伴って、青色で発光するよう連続的に変化させることが可能となる。これによって、目盛７２の発光色の色相を、外部光の光量に従って連続的に変化させることができる、デザインの自由度の高いコンビネーションメータ１００を提供することが可能となる。加えて、外部光８８ａの多い環境下においては、目盛７２から放出される光が、外部光８８ａとの色相差と、周辺部との明度差を併せ持つことから、非常に優れた視認性を併せ持つコンビネーションメータ１００を提供することが可能となる。尚、発光ダイオード８１、８２の発光色およびシート６１の色は、異なる色相の有彩色であれば、緑色等でも良い。
【００５４】
＜第３実施形態＞
図８は、本発明の第３実施形態によるコンビネーションメータ１００の導光体７ａとその周辺部品の斜視図である。第３実施形態によるコンビネーションメータ１００は、導光体７の外周縁部７６に円周状に遮光部材７７が設けられている。
【００５５】
以下に、第３実施形態によるコンビネーションメータ１００における構成と作用について説明する。
【００５６】
図８に示すように、導光体７ａの外周縁部７６の内周側には、光を透過させない材料により形成された遮光部材７７が円周状に形成されている。発光ダイオード８２から放出された光源光８２ａは、導光体７ａの形状に沿って外周縁部７６に向かって放射状に進行し、外周縁部７６直前で遮光部材７７により反射される。また、導光体７ａの外周縁部７６を周方向に進行する光源光８１ａのうち、導光体７ａの内周側へ進行する光も、遮光部材７７により反射され、外周縁部７６に戻される。その為、発光ダイオード８１と８２の光源光、８１ａと８２ａが導光体内で混ざることがない。これにより、発光ダイオード８１と８２に異なる発光色の発光ダイオードが使用可能となり、デザインの自由度の高いコンビネーションメータ１００を提供することが可能となる。
【図面の簡単な説明】
【００５７】
【図１】本発明の第１実施形態によるコンビネーションメータ１００の正面図である。
【図２】本発明の第１実施形態によるコンビネーションメータ１００の断面図で、図１のＩＩ−ＩＩ線断面図である。
【図３】本発明の第１実施形態による導光体７とその周辺部品の斜視図である。
【図４】本発明の第１実施形態による導光体７とリフレクタ６の断面図で、図３のＩＶ−ＩＶ線断面図である。
【図５】本発明の第１実施形態による導光体７とリフレクタ６の断面図で、図３のＶ−Ｖ線断面図である。
【図６】本発明の第１実施形態によるコンビネーションメータ１００の電気回路５の構成図である。
【図７】本発明の第２実施形態によるコンビネーションメータ１００の導光体７およびその周辺部品の、図４と同一箇所における線断面図である。
【図８】本発明の第３実施形態によるコンビネーションメータ１００の導光体７ａとその周辺部品の斜視図である。
【符号の説明】
【００５８】
２  指標部材、２０  文字盤、２０ａ  表面、２１  指標部、２１ａ  貫通部（透過部）、２０ｂ  裏面、２１ｂ  数字部、２１ｃ  文字部、２２  開口部、２５  トリムリング、２５ａ  外面、２８  固定部、３  ムーブメント（回動内機）、４  指針、４１  ポインタ、４２  固定部、５  電気回路、５１  プリント基板、５１ａ  表面、５１ｂ  裏面、５１ｃ  開孔部、５２  コントローラ、５３  バッテリ、５４  イグニッションスイッチ、５５  車速センサ、６  リフレクタ、６０ａ  表面、６０ｂ  裏面、７、７ａ  導光体、７０ａ  表面、７０ｂ  裏面、７１  凹部、７１ａ  側面、７１ｂ  底面、７２  目盛（凸部）、７２ａ  平面部、７３  入射部、７３ａ  端面、７３ｂ  反射面、７４  端面、７５  シボ、７６  外周縁部、７７  遮光部材、８１、８２、８３  発光ダイオード（光源）、８１ａ、８２ｂ、８３ｃ  光源光、８８ａ  外部光、８８ｂ  反射光、９  指針導光体、９０ａ  入射部、９０ｂ  放出部、１０  ケーシング部材、１０ａ  リヤケース、１０ｂフロントケース、１１  透過パネル、１００  コンビネーションメータ（指針計器）、１００ａ  スピードメータ
【図１】
0005104249.tif 000002
【図２】
0005104249.tif 000003
【図３】
0005104249.tif 000004
【図４】
0005104249.tif 000005
【図５】
0005104249.tif 000006
【図６】
0005104249.tif 000007
【図７】
0005104249.tif 000008
【図８】
0005104249.tif 000009